(57)【要約】【課題】電子教材に関連付けられたコンテンツを再生又は表示する順番を適切に設定することが可能なコンテンツ再生システム及びプログラムを提供する。【解決手段】端末装置３は、コンテンツが関連付けられた電子教科書２の関連付けエリアに関する関連付けエリア情報を記憶する。そして、端末装置３は、ユーザのタッチパネル操作に基づき、関連付けエリアが複数設けられた電子教科書２の見開き頁において、関連付けエリアに関連付けられたコンテンツの再生又は表示の順番を設定する。【選択図】図７
2013182123.tif 000002
【特許請求の範囲】
【請求項１】
電子教材を表示手段に表示させる表示制御手段と、
前記電子教材の所定の頁内のエリアであって、コンテンツと関連付けられた関連付けエリアの情報を記憶する記憶手段と、
外部入力に基づき、前記関連付けエリアが複数設けられた前記電子教材の頁又は見開き頁における当該関連付けエリアに関連付けられた前記コンテンツの再生又は表示の順番を設定する再生順番設定手段と、
を有することを特徴とする端末装置。
【請求項２】
前記再生順番設定手段は、前記外部入力に基づき前記関連付けエリアが選択された選択順に基づき、前記再生又は表示の順番を定めることを特徴とする請求項１に記載の端末装置。
【請求項３】
前記電子教材の各頁又は各見開き頁には、前記再生又は表示の順番を定める処理を開始するための順番設定用アイコンが設けられ、
前記再生順番設定手段は、前記順番設定用アイコンが選択された後に前記関連付けエリアが選択された前記選択順を認識することを特徴とする請求項２に記載の端末装置。
【請求項４】
前記電子教材の各頁又は各見開き頁には、前記再生順番設定手段が設定した前記再生又は表示の順番に基づき前記コンテンツを再生又は表示させるための再生用アイコンが設けられ、
前記再生用アイコンが選択された場合、再生又は表示すべき順番にあたる前記コンテンツの再生又は表示を行う再生制御手段をさらに有することを特徴とする請求項１乃至３のいずれか一項に記載の端末装置。
【請求項５】
前記表示制御手段は、前記再生又は表示の順番が設定されたコンテンツに対応する前記電子教材の前記関連付けエリアを前記表示手段に表示させる場合、当該関連付けエリアと対応させて前記コンテンツの前記再生又は表示の順番の表示を付すことを特徴とする請求項１乃至４のいずれか一項に記載の端末装置。
【請求項６】
前記表示制御手段は、前記電子教材の前記関連付けエリアを前記表示手段に表示させる場合、当該関連付けエリアを対応するコンテンツの種類ごとに色分けして前記表示手段に表示させることを特徴とする請求項１乃至５のいずれか一項に記載の端末装置。
【請求項７】
前記表示制御手段は、前記コンテンツが再生中又は表示中であっても、入力手段により入力されたストロークを前記電子教材に描画することを特徴とする請求項１乃至６のいずれか一項に記載の端末装置。
【請求項８】
請求項１乃至７のいずれか一項に記載の端末装置と、
接触位置を検知し、当該接触位置を示す検知信号を前記端末装置へ送信する電子シートと、
前記端末装置から送信される画像信号に基づく光を前記電子シートの表面に出射するプロジェクタと、を備えるコンテンツ再生システムであって、
前記表示制御手段は、前記再生順番設定手段が設定した前記再生又は表示の順番に基づき前記コンテンツを再生又は表示させるための再生用アイコンを、前記プロジェクタにより前記電子シートに投影表示させ、
前記検知信号に基づき前記再生用アイコンが選択されたと判断した場合、再生又は表示すべき順番にあたる前記コンテンツの再生又は表示を行う再生制御手段をさらに有することを特徴とするコンテンツ再生システム。
【請求項９】
端末装置と、
接触位置を検知し、当該接触位置を示す検知信号を前記端末装置へ送信する電子シートと、
前記端末装置から送信される画像信号に基づく光を前記電子シートの表面に出射するプロジェクタと、を備えるコンテンツ再生システムであって、
前記端末装置は、
電子教材を前記プロジェクタにより前記電子シートに投影表示させる表示制御手段と、
前記電子教材の所定の頁内のエリアであって、コンテンツと関連付けられた関連付けエリアの情報を記憶する記憶手段と、
前記検知信号に基づき、前記関連付けエリアが複数設けられた前記電子教材の頁又は見開き頁における当該関連付けエリアに関連付けられた前記コンテンツの再生又は表示の順番を設定する再生順番設定手段と、
を有することを特徴とするコンテンツ再生システム。
【請求項１０】
前記再生順番設定手段は、前記検知信号に基づき、前記電子シートに投影表示された前記関連付けエリアが選択された選択順を認識し、当該選択順に基づき、前記再生又は表示の順番を定めることを特徴とする請求項９に記載のコンテンツ再生システム。
【請求項１１】
前記電子シートに投影表示された前記電子教材の各頁又は各見開き頁には、前記再生又は表示の順番を定める処理を開始するための順番設定用アイコンが設けられ、
前記再生順番設定手段は、当該順番設定用アイコンが選択された後に前記関連付けエリアが選択された前記選択順を認識することを特徴とする請求項１０に記載のコンテンツ再生システム。
【請求項１２】
請求項１乃至１１のいずれか一項に記載の端末装置として機能させることを特徴とするプログラム。
【発明の詳細な説明】
【技術分野】
【０００１】
本発明は、電子教材に関連付けられた動画像などのコンテンツを再生する技術に関する。
【背景技術】
【０００２】
従来から、電子教材をスクリーンなどに投影表示しつつ、必要に応じて表示中の頁に関連するコンテンツの再生などを行うことが可能な教育支援システムが知られている。例えば、特許文献１には、授業の際には、予め用意されたシナリオに基づき、教材データをスクリーン上に表示する授業支援システムが記載されている。この授業支援システムでは、「次頁」と表示されたボタンが画面上で選択されることで、画面内に設けられた表示領域全体が予め用意されたシナリオ通りに遷移する。
【先行技術文献】
【特許文献】
【０００３】
【特許文献１】特開２００２−０７２８５０号公報
【発明の概要】
【発明が解決しようとする課題】
【０００４】
電子教科書（教材）の所定の図面部分などに関連する動画などのコンテンツを関連付けておき、授業中では、スクリーン等に電子教材を表示させつつ、コンテンツを関連付けたエリアを適宜選択して、そのコンテンツを講師の任意のタイミングで再生することができると便宜である。一方、電子教材の各頁又は見開き頁ごとに複数のコンテンツが関連付けられている場合には、講師は、授業中でのコンテンツの再生順番を間違えてしまう可能性がある。従って、この場合には、これらの複数のコンテンツを再生又は表示する順番を予め設定することができると便宜である。そこで、本発明は、電子教材に関連付けられたコンテンツの再生又は表示の順番を適切に設定することが可能な端末装置、コンテンツ再生システム及びプログラムを提供することを主な課題とする。
【課題を解決するための手段】
【０００５】
本発明に係る端末装置は、電子教材を表示手段に表示させる表示制御手段と、前記電子教材の所定の頁内のエリアであって、コンテンツと関連付けられた関連付けエリアの情報を記憶する記憶手段と、外部入力に基づき、前記関連付けエリアが複数設けられた前記電子教材の頁又は見開き頁における当該関連付けエリアに関連付けられた前記コンテンツの再生又は表示の順番を設定する再生順番設定手段と、を有する。
【０００６】
上記の端末装置は、表示制御手段と、記憶手段と、再生順番設定手段とを有し、電子教材の各頁又は見開き頁のうち、関連付けエリアを複数有する頁又は見開き頁に関連付けられたコンテンツの再生順番を定める。このとき、端末装置は、電子教材を表示し、ユーザ操作等の外部入力に基づきコンテンツの再生順番を定める。これにより、授業などにおいて、ユーザは、再生すべきコンテンツの順番を間違えることなく想定した順番通りにコンテンツの再生又は表示を行うことができる。
【０００７】
上記端末装置の一態様では、前記再生順番設定手段は、前記外部入力に基づき前記関連付けエリアが選択された選択順に基づき、前記再生又は表示の順番を定める。この態様により、ユーザは、表示手段に表示された関連付けエリアを順に選択することで、同一頁又は同一見開き頁に関連付けられたコンテンツの再生又は表示の順番を定めることができる。
【０００８】
上記端末装置の他の一態様では、前記電子教材の各頁又は各見開き頁には、前記再生又は表示の順番を定める処理を開始するための順番設定用アイコンが設けられ、前記再生順番設定手段は、前記順番設定用アイコンが選択された後に前記関連付けエリアが選択された前記選択順を認識する。この態様により、端末装置は、同一頁又は同一見開き頁に関連付けられたコンテンツの再生又は表示の順番を、ユーザの任意のタイミングで定めることができる。
【０００９】
上記端末装置の他の一態様では、前記電子教材の各頁又は各見開き頁には、前記再生順番設定手段が設定した前記再生又は表示の順番に基づき前記コンテンツを再生又は表示させるための再生用アイコンが設けられ、前記再生用アイコンが選択された場合、再生又は表示すべき順番にあたる前記コンテンツの再生又は表示を行う再生制御手段をさらに有する。この態様により、ユーザは、再生用アイコンを選択する操作を行うだけで、順番を設定したコンテンツを、順に端末装置に再生又は表示させることができる。
【００１０】
上記端末装置の他の一態様では、前記表示制御手段は、前記再生又は表示の順番が設定されたコンテンツに対応する前記電子教材の前記関連付けエリアを前記表示手段に表示させる場合、当該関連付けエリアと対応させて前記コンテンツの前記再生又は表示の順番の表示を付す。このようにすることで、端末装置は、ディスプレイ上に電子教材を表示した場合に、設定された再生又は表示の順番を容易に視認させることが可能となる。
【００１１】
上記端末装置の他の一態様では、前記表示制御手段は、前記電子教材の前記関連付けエリアを前記表示手段に表示させる場合、当該関連付けエリアを対応するコンテンツの種類ごとに色分けして前記表示手段に表示させる。このようにすることで、端末装置は、関連付けエリアに関連付けられているコンテンツの種類を、ユーザに容易に認識させることができる。
【００１２】
上記端末装置の他の一態様では、前記表示制御手段は、前記コンテンツが再生中又は表示中であっても、入力手段により入力されたストロークを前記電子教材に描画する。このようにすることで、端末装置は、コンテンツの再生時等であっても、電子教材上への書込みを実行させることができ、利便性を向上させることができる。
【００１３】
本発明に係るコンテンツ再生システムは、上記記載の端末装置と、接触位置を検知し、当該接触位置を示す検知信号を前記端末装置へ送信する電子シートと、前記端末装置から送信される画像信号に基づく光を前記電子シートの表面に出射するプロジェクタと、を備えるコンテンツ再生システムであって、前記表示制御手段は、前記再生順番設定手段が設定した前記再生又は表示の順番に基づき前記コンテンツを再生又は表示させるための再生用アイコンを、前記プロジェクタにより前記電子シートに投影表示させ、前記検知信号に基づき前記再生用アイコンが選択されたと判断した場合、再生又は表示すべき順番にあたる前記コンテンツの再生又は表示を行う再生制御手段をさらに有する。この態様によれば、ユーザは、プロジェクタによって電子シートに投影された再生用アイコンを選択することで、予め再生順番を設定したコンテンツを順番通りに再生又は表示させることができる。
【００１４】
本発明に係るコンテンツ再生システムの他の態様では、端末装置と、接触位置を検知し、当該接触位置を示す検知信号を前記端末装置へ送信する電子シートと、前記端末装置から送信される画像信号に基づく光を前記電子シートの表面に出射するプロジェクタと、を備えるコンテンツ再生システムであって、前記端末装置は、電子教材を前記プロジェクタにより前記電子シートに投影表示させる表示制御手段と、前記電子教材の所定の頁内のエリアであって、コンテンツと関連付けられた関連付けエリアの情報を記憶する記憶手段と、前記検知信号に基づき、前記関連付けエリアが複数設けられた前記電子教材の頁又は見開き頁における当該関連付けエリアに関連付けられた前記コンテンツの再生又は表示の順番を設定する再生順番設定手段と、を有することを特徴とする。この態様により、コンテンツ再生システムは、電子シートに電子教材を表示し、当該電子シート上への操作に基づき、同一頁又は同一見開き頁に関連付けられたコンテンツの再生又は表示の順番を好適に定めることができる。
【００１５】
本発明に係るプログラムは、上記記載のいずれか一つの端末装置として機能させる。これらのプログラムを端末装置にインストールして機能させることで、本発明に係る端末装置を構成させることができる。
【発明の効果】
【００１６】
本発明によれば、端末装置は、電子教材を表示すると共に、コンテンツに関連付けられたエリアを複数有する頁又は見開き頁内でのコンテンツの再生順番を、外部入力に基づき定める。これにより、授業などにおいて、ユーザは、再生すべきコンテンツの順番を間違えることなく想定した順番通りにコンテンツの再生又は表示を行うことができる。
【図面の簡単な説明】
【００１７】
【図１】本実施形態に係るコンテンツ再生システムの構成を示す。
【図２】電子教科書の表示例である。
【図３】端末装置の機能ブロック図である。
【図４】関連付けエリア情報のデータ構造を示す。
【図５】関連付けエリアを色分け表示するためのアイコンが選択される直前の端末装置のディスプレイ画面を示す。
【図６】関連付けエリアを色分け表示するためのアイコンが選択された後の端末装置のディスプレイ画面を示す。
【図７】再生順番の設定に伴う電子教科書上での指先の位置変化を示す。
【図８】再生順番が設定された見開き頁が表示された端末装置のディスプレイ画面を示す。
【図９】見開き頁上で再生操作が行われる様子を示す。
【図１０】ファイル「ワークシート１．ｐｄｆ」の表示例を示す。
【発明を実施するための形態】
【００１８】
以下、図面を参照しながら、本発明を実施するのに好適な実施形態について説明する。以下に説明するコンテンツ再生システムは、学校の授業などに好適に用いられ、電子化された電子教科書（教材）の任意の範囲と動画などのコンテンツとが関連付けられており、同一の見開き頁内に関連付けられたコンテンツの再生順番を予め設定可能なシステムである。なお、「見開き頁」とは、電子教科書が表示された場合に上下又は左右に並ぶ頁の組を指す。
【００１９】
［コンテンツ再生システムの構成］
図１は、本実施形態に係るコンテンツ再生システムの構成を示す。図１に示すように、コンテンツ再生システムは、後述する電子教科書２を表示すると共にユーザからの入力に基づき所定の処理を行う端末装置３と、端末装置３と接続され、そのディスプレイの表示画面と同じ画像を電子黒板５に投影するプロジェクタ４と、接触された位置を検知可能な電子黒板（電子シート）５とを備える。以下、これらの各構成要素について説明する。
【００２０】
（電子教科書）
まず、端末装置３のディスプレイに表示される電子教科書２について説明する。図２は、ある頁（第２２、２３頁）が見開き状態で表示された電子教科書２の上面図を示す。なお、図２に示す電子教科書２は、電子黒板５にも同様に表示される。
【００２１】
図２に示すように、電子教科書２は、見開き頁ごとに表示され、各見開き頁は、教科書の内容が記載された内容表示領域２０と、選択可能な各アイコン４１乃至６１が表示された操作領域４０とを有する。
【００２２】
内容表示領域２０は、動画、画像、ＰＤＦ（登録商標）、音声データなどのコンテンツと関連付けられている領域（「関連付けエリア」とも呼ぶ。）を有する。関連付けエリアが選択された場合、当該領域に関連付けられたコンテンツ（「関連付けコンテンツ」とも呼ぶ。）が端末装置３により再生される。
【００２３】
次に、各アイコン４１乃至６１に関連付けられた機能について説明する。アイコン４１は、後述する図３に示す電子教科書２の目次を端末装置３のディスプレイに表示させるための操作領域である。アイコン４２は、端末装置３のディスプレイにコンテンツが再生又は表示されている場合に、当該コンテンツの前面に電子教科書２を表示させるための操作領域である。アイコン４３は、端末装置３のディスプレイに表示されている電子教科書２の見開き頁を、２頁分だけ前に戻すための操作領域である。アイコン４４は、端末装置３のディスプレイに表示されている電子教科書２の見開き頁を、２頁分だけ進めるための操作領域である。
【００２４】
アイコン４５、４６は、書込みモードに切り替えるための操作領域である。具体的には、アイコン４５は、電子教科書２上でスタイラスなどが接触した位置の軌跡を再現した自由曲線のストロークを電子教科書２上に描画する書込みモードに切り替えるための操作領域である。アイコン４６は、電子教科書２上でスタイラスなどが接触した位置の軌跡に基づく直線のストロークを電子教科書２上に描画する書込みモードに切り替えるための操作領域である。アイコン４７は、アイコン４５又は４６に対応する書込みモードにおいて描画されたストロークの色を赤色に指定するための操作領域であり、アイコン４８は、上述のストロークの色を青色に指定するための操作領域である。なお、後述するように、ユーザは、コンテンツの再生中においても、アイコン４５又は４６を選択し、ディスプレイ上におけるスタイラス等の接触位置の軌跡に基づくストロークを電子教科書２上に描画させることが可能である。
【００２５】
アイコン４９は、アイコン４５又は４６に対応する書込みモードにおいて描画されたストロークの表示及び非表示を切り替えるための操作領域である。アイコン５０は、電子教科書２上に描画されたストロークの表示位置をドラッグ操作に基づき移動させるモードに切り替えるための操作領域である。アイコン５１は、ドラッグ操作により指定された領域を拡大表示するための操作領域である。アイコン５２は、ディスプレイ上で接触を検知した位置に存在するストロークを消去するための操作領域である。アイコン５３は、当該アイコン５３が印刷されている見開き頁に描画されたストロークを全て消去するための操作領域である。アイコン５４は、停止中または一時停止中の動画の再生を開始するための操作領域である。アイコン５５は、再生中の動画の巻き戻しをするための操作領域である。アイコン５６は、再生中の動画を一時停止するための操作領域である。アイコン５７は、再生中の動画を早送りするための操作領域である。アイコン５８は、再生中の動画を停止するための操作領域である。
【００２６】
アイコン５９は、電子教科書２内の関連付けエリアを色付きで強調表示するための操作領域である。アイコン５９が選択された場合の表示例については、［関連付けエリアの表示］のセクションで詳しく説明する。順番設定用アイコン６０は、同一の見開き頁にある関連付けエリアに関連付けられたコンテンツの再生順番を設定するモード（「再生順番設定モード」とも呼ぶ。）の開始及び終了を指示するための操作領域である。再生順序設定モードについては、［再生順番の設定］のセクションで詳しく説明する。再生用アイコン６１は、設定された再生順番に従い、関連付けコンテンツを順に再生する指示を行う操作領域である。アイコン６１に関連付けられた機能については、［コンテンツの再生］のセクションで詳しく説明する。
【００２７】
（プロジェクタ）
プロジェクタ４は、電子黒板５に対して鉛直上方向から斜め下向きに光を出射するプロジェクタであり、例えば教室の壁等に設置される。プロジェクタ４は、端末装置３から画像信号を受信し、端末装置３の画面と同じ画像を構成する光を所定の投影範囲５０に投影する。投影範囲５０には、電子教科書２などが表示される。なお、プロジェクタ４は、電子黒板５の正面へ向けて光を出射するフロントプロジェクタ、又は、電子黒板５の背面へ向けて光を出射するリアプロジェクタであってもよい。
【００２８】
（電子黒板）
電子黒板５は、圧力を検知することが可能に構成された感圧式ボード（シート）である。そして、電子黒板５に所定のペン（スタイラス）により圧力が加わるとボード中に設けられた電気伝導性の２枚のシートが接触して電気信号が発生し、当該電気信号に基づく入力情報を端末装置３に送信する。そして、端末装置３は、電子黒板５から受信した入力情報に基づき、接触位置を検出する。
【００２９】
また、電子黒板５の投影範囲５０には、端末装置３の画面と同じ画像を構成する光がプロジェクタ４により投影される。具体的には、投影範囲５０には、図２に示す電子教科書２が投影表示される。
【００３０】
なお、電子黒板５は、ボード表面の直下にワイヤが埋め込まれた電磁式ボードであってもよい。この場合、コンテンツ再生システムは、コイルを埋め込んだスタイラスを備え、スタイラスを電磁式ボードに接触させると、電磁式ボードは、スタイラスとの電磁誘導に基づき接触位置に相当する電気信号を発生し、当該電気信号に基づき、端末装置３は、接触位置を検出する。
【００３１】
そして、電子黒板５がいずれの入力方式である場合も、端末装置３は、後述するように、電子黒板５にかかる座標系を端末装置３のディスプレイにかかる座標系に変換するための座標変換関数を予め求める。そして、端末装置３は、求められた座標変換関数を用いて、ボード上の接触位置に相当する座標データを受信した場合に、表示手段３６のディスプレイにかかる座標系のデータに変換し、表示された電子教科書２内のいずれのアイコン４１乃至６１又は関連付けエリアが選択されたか等を検知する。
【００３２】
（端末装置）
次に、端末装置３について説明する。端末装置３は、ハードウェアとして、電子黒板５とのデータ通信が可能なアンテナ装置、ＣＰＵ等のプロセッサ、ＲＯＭやＲＡＭといったメモリ、ディスプレイ、マウスやキーボード等で構成される。なお、端末装置３は、ｉＰａｄ（登録商標）などのタブレットＰＣやＰＤＡ（Ｐｅｒｓｏｎａｌ  Ｄａｔａ  Ａｓｓｉｓｔａｎｃｅ）、またはディスプレイを備えるＰＣ（パーソナルコンピュータ）等で構成されてもよい。ここでは、一例として、端末装置３は、タッチパネルによる入力が可能なタブレットＰＣであるものとする。
【００３３】
図３は、端末装置３の機能ブロック図である。端末装置３は、機能的には、タッチパネルなどの入力手段３１、通信手段３２、記憶手段３３、処理手段３４、表示手段３６、インターフェース３８を備える。通信手段３２は、アンテナ受信回路等により構成され、電子黒板５から入力情報を受信し、受信した情報を処理手段３４に伝送する。表示手段３６は、ディスプレイ等によって構成され、処理手段３４によって指示された内容を表示する。インターフェース３８は、プロジェクタ４と接続するためのインターフェースである。インターフェース３８は、処理手段３４の処理命令に基づき、表示手段３６に画像を表示するための画像信号をプロジェクタ４に送信し、表示手段３６の画像と同じ画像を同期して投影させる。
【００３４】
処理手段３４は、ＣＰＵ等のプロセッサによって構成され、端末装置３の全体の制御を行う。処理手段３４は、表示制御手段３４１と、再生順番設定手段３４２と、再生制御手段３４３とを備える。そして、処理手段３４は、表示手段３６のディスプレイに表示されたアイコン４１乃至６１がタッチパネル操作により選択されたことを検知した場合、選択されたアイコンに関連付けられた機能に応じて所定の処理を行う。
【００３５】
具体的には、タッチパネル操作により選択されたアイコンがアイコン４１乃至４４の場合、処理手段３４の表示制御手段３４１は、タッチパネル操作により選択されたアイコンに関連付けられた機能に従い、電子教科書２の所定の頁を見開き状態で表示手段３６に表示させる。
【００３６】
また、タッチパネル操作により選択されたアイコンがアイコン４５または４６の場合、表示制御手段３４１は、書込みモードを開始する。具体的には、表示制御手段３４１は、書込みモード時には、タッチパネルが検知した接触位置の位置座標に基づき、自由曲線又は直線のストロークを電子教科書２上に描画する。この場合、表示制御手段３４１は、コンテンツが再生中か否かに関わらず、ストロークを描画する。なお、書込みモードでは、表示制御手段３４１は、電子教科書２と表示中のコンテンツとを並べて表示してもよく、コンテンツが動画の場合には、当該コンテンツに対応する関連付けエリア内でコンテンツを表示してもよい。また、コンテンツが音声データの場合には、スピーカ（不図示）に音声を出力させつつ、表示制御手段３４１は、音声データを再生するソフトウェアの表示を非表示として、電子教科書２のみを表示してもよい。
【００３７】
タッチパネル操作により選択されたアイコンがアイコン４７乃至５３の場合、表示制御手段３４１は、タッチパネル操作により選択されたアイコンに関連付けられた機能に従い、所定の処理を実行する。また、再生制御手段３４３は、タッチパネル操作により選択されたアイコンがアイコン５４乃至５８の場合、タッチパネル操作により選択されたアイコンに関連付けられた機能に従い、再生対象の動画コンテンツの再生制御を行う。また、タッチパネル操作により選択されたアイコンがアイコン５９の場合、表示制御手段３４１は、関連付けられたコンテンツの種類に応じて、関連付けエリアを色分けして表示する。
【００３８】
タッチパネル操作により選択されたアイコンがアイコン６０の場合、処理手段３４は、再生順番設定モードを開始する。再生順番設定モードでは、処理手段３４の再生順番設定手段３４２は、同一の見開き頁にある関連付けエリアに関連付けられたコンテンツの再生順番を決定する。この処理については、［再生順番の設定］のセクションで具体的に説明する。タッチパネル操作により選択されたアイコンがアイコン６１の場合、再生制御手段３４３は、設定された再生順番に従い、次に再生すべき関連付けコンテンツを再生する。この処理については、［コンテンツ再生］のセクションで具体的に説明する。また、処理手段３４は、電子教科書２の関連付けエリアが選択された場合、後述する関連付けエリア情報を参照し、タッチパネル操作により選択された関連付けエリアに関連付けられたコンテンツを再生又は表示する。
【００３９】
また、処理手段３４は、キャリブレーション用マークを少なくとも２以上、表示手段３６に表示させることにより、プロジェクタ４に対し、電子黒板５にもキャリブレーション用マークを投影させ、キャリブレーション用マークが投影された位置に対応する入力情報を受信することで、電子黒板５にかかる座標系を表示手段３６のディスプレイにかかる座標系に変換するための座標変換関数を求める（キャリブレーション処理機能）。さらに、処理手段３４は、そのキャリブレーション処理により求められた座標変換関数を用いて、電子黒板５にかかる座標系のデータを受信したときに、表示手段３６のディスプレイにかかる座標系のデータに変換する。そして、処理手段３４は、変換後のディスプレイにかかる座標系のデータに基づき、電子黒板５に表示されたアイコン４１乃至６１が選択されたことを認識した場合、端末装置３のディスプレイに表示されたアイコン４１乃至６１が選択された場合と同様の処理を実行する。また、処理手段３４は、変換後のディスプレイにかかる座標系のデータに基づき、電子黒板５に表示された関連付けエリアが選択されたことを認識した場合、後述する関連付けエリア情報を参照し、選択された関連付けエリアに関連付けられたコンテンツを再生又は表示する。
【００４０】
記憶手段３３は、ＲＯＭやＲＡＭといったメモリによって構成される。記憶手段３３は、各教科書を電子化した電子教科書２を記憶する。さらに、記憶手段３３は、各関連付けエリアに関連付けられるコンテンツを記憶すると共に、各関連付けエリアに関連する情報（「関連付けエリア情報」とも呼ぶ。）を記憶する。図４は、関連付けエリア情報のデータ構造を示す。図４に示すように、関連付けエリア情報には、各関連付けエリアの識別番号を示す「エリア番号」の項目と、電子教科書２の識別情報を示す「教科書ＩＤ」の項目と、関連付けエリアの頁番号を示す「頁番号」の項目と、頁内における相対的な位置を示す「頁内位置」の項目と、関連付けコンテンツのパス及びファイル名を示す「関連付けコンテンツ」の項目と、同一の見開き頁内における関連付けコンテンツの再生順番を示す「再生順番」の項目とに対応する情報がそれぞれ関連付けられている。なお、ここでは、図２に示す電子教科書２の教科書ＩＤは「Ｒ０１」であるものとし、頁内位置は、角の位置座標（Ｘｎ，Ｙｎ）、高さ（Ｙ方向）、幅（Ｘ方向）で規定されている。また、「再生順番」の項目の値は、後述する［再生順番の設定］のセクションで述べる処理に基づき設定される。
【００４１】
なお、再生順番以外の関連付けエリア情報は、予め記憶手段３３に記憶されていてもよく、ユーザの入力に基づき処理手段３４が生成してもよい。後者の場合、例えば、処理手段３４は、電子教科書２を表示した状態で、関連付けエリアとする領域をタッチパネルへのドラッグ操作などによりユーザに指定させると共に、当該関連付けエリアに関連付けるコンテンツをファイル選択用のＧＵＩ（Ｇｒａｐｈｉｃａｌ  Ｕｓｅｒ  Ｉｎｔｅｒｆａｃｅ）などを表示することでユーザに指定させる。関連付けコンテンツは、講師が授業用に自らビデオカメラ等の撮影手段を用いて撮影を行った結果生成された映像データなどであってもよく、静止画像データであってもよく、ワークシートなどであってもよい。
【００４２】
［関連付けエリアの表示］
次に、アイコン５９が選択された場合の電子教科書２の表示について説明する。図５は、アイコン５９が選択される直前の端末装置３のディスプレイ画面を示す。
【００４３】
図５に示すように、アイコン５９が選択される直前では、図４の関連付けエリア情報に記憶された２２頁に存在するエリア番号Ｎ１の関連付けエリアと、２３頁に存在するエリア番号Ｎ２の関連付けエリアとがいずれも他のエリアと判別できない態様で、２２頁及び２３頁の見開き頁が表示されている。そして、ユーザは、関連付けコンテンツの再生順番を設定する場合などに、指先で端末装置３のディスプレイ画面におけるアイコン５９の表示部分をタッチする。
【００４４】
図６は、アイコン５９が選択された後の端末装置３のディスプレイ画面を示す。図６に示すように、アイコン５９が選択された場合、表示制御手段３４１は、対応する関連付けコンテンツの種類ごとに、各関連付けエリアを色分けして表示する。具体的には、拡張子が「ｐｄｆ」のＰＤＦファイル「ワークシート１．ｐｄｆ」と関連付けられたエリア番号Ｎ１の関連付けエリア「２１」は、青に着色された状態で表示されている。一方、拡張子が「ｍｐ４」の動画ファイル「断層○○町．ｍｐ４」と関連付けられた関連付けエリア「２２」は、赤に着色された状態で表示される。このようにすることで、ユーザは、各関連付けエリアの位置及び範囲並びに当該関連付けエリアに関連付けられているコンテンツの種類を容易に把握することができる。そして、アイコン５９が再びタッチされた場合、表示制御手段３６は、図６に示す表示から、図５に示す表示に再び切り替える。
【００４５】
なお、図５及び図６に示すディスプレイ画面の表示は、電子黒板５の投影範囲５０に投影される表示と同一であり、電子黒板５に投影表示されたアイコン５９が選択された場合も同様に、図５に示す表示と図６に示す表示とが切り替わる。
【００４６】
［再生順番の設定］
次に、同一の見開き頁内に複数の関連付けエリアが存在する場合の関連付けコンテンツの再生順番の設定方法について具体的に説明する。概略的には、再生順番設定手段３４２は、再生順番設定モード時において、端末装置３のディスプレイ上でタッチされた関連付けエリアの順番に基づき、関連付けコンテンツの再生順番を定める。
【００４７】
図７は、端末装置３のディスプレイ画面に表示された電子教科書２上での再生順番の設定に伴う操作する指先の位置変化を示す図である。まず、アイコン６０が指先８０によりタッチされる（第１ステップ）。この場合、処理手段３４は、タッチパネルから送信される検出信号に基づき、アイコン６０がタッチされたことを認識し、再生順番設定モードを開始する。以降は、ユーザの意思により、同一の見開き頁内に存在する複数の関連付けエリアを、関連付けられたコンテンツを再生たい順番でタッチする。
【００４８】
図７に示す例では、関連付けエリア２１が指先８０によりタッチされる（第２ステップ）。この場合、処理手段３４の再生順番設定手段３４２は、タッチパネルから送信される検出信号に基づき、関連付けエリア２１がタッチされたことを認識する。そして、再生順番設定手段３４２は、見開き頁（ここでは２２、２３頁）に関連した関連付けコンテンツのうち、関連付けエリア２１に関連付けられたコンテンツの再生順番を１番に設定する。
【００４９】
その後、関連付けエリア２２が指先８０によりタッチされる（第３ステップ）。この場合、処理手段３４の再生順番設定手段３４２は、関連付けエリア２２がタッチパネル操作により選択されたことを認識する。そして、再生順番設定手段３４２は、見開き頁に関連した関連付けコンテンツのうち、関連付けエリア２２に関連付けられた関連付けコンテンツの再生順番を２番に設定する。
【００５０】
次に、アイコン６０が指先８０により再びタッチされる（第４ステップ）。この場合、再生順番設定手段３４２は、タッチパネルにより検出した接触位置に基づき、アイコン６０がタッチされたことを認識し、再生順番設定モードを終了する。これにより、再生順番設定手段３４２は、端末装置３のディスプレイに表示された見開き頁における再生順番を確定する。具体的には、再生順番設定手段３４２は、前述した図４に示すように、関連付けエリア２１に関連付けられたコンテンツである「ワークシート１．ｐｄｆ」の再生順番が１番である旨を関連付けエリア情報に記憶し、関連付けエリア２２に関連付けられたコンテンツである「断層○○町．ｍｐ４」の再生順番が２番である旨を関連付けエリア情報に記憶する。
【００５１】
このように、再生順番設定手段３４２は、複数の関連付けエリアがある任意の見開き頁において、関連付けコンテンツの再生順番を、ユーザに複雑な操作を要求することなく、ユーザの意図してタッチした順番に即して定めることができる。
【００５２】
なお、電子黒板５の投影範囲５０に投影表示された電子教科書２のアイコン６０が選択された場合も、同様に、再生順番設定手段３４２は、再生順番設定モードを開始する。そして、再生順番設定手段３４２は、再生順番設定モードでは、電子黒板５の投影範囲５０に投影表示された電子教科書２の関連付けエリアが選択された順番を記憶する。そして、再びアイコン６１が選択されて再生順番設定モードを終了する際に、再生順番設定手段３４２は、電子黒板５に投影表示された見開き頁における再生順番を、再生順番設定モードにおいて関連付けエリアが選択された順番に基づき決定し、図４に示す関連付けエリア情報に記憶する。
【００５３】
［再生順番設定後の表示］
次に、再生順番が設定された後の端末装置３のディスプレイ画面について図８を参照して説明する。図８は、再生順番が設定された見開き頁が表示された端末装置３のディスプレイ画面を示す。
【００５４】
図８に示すように、表示制御手段３４１は、再生順番が設定された見開き頁を表示する場合、再生順番が定められた関連付けエリア２１、２２上に、対応する関連付けコンテンツの再生順番の番号を重畳表示する。図８に示す例は、再生順番が１番に設定された関連付けエリア２１には、「（１）」の表示が付され、再生順番が２番に設定された関連付けエリア２２には、「（２）」の表示が付されている。
【００５５】
このように、表示制御手段３４１は、再生順番が設定された見開き頁を端末装置３のディスプレイに表示させる場合、設定された再生順番をユーザが視認できるように、設定された再生順番を示す表示を、対応する関連付けエリアに付す。これにより、ユーザは、設定した再生順番を、端末装置３のディスプレイ上又は電子黒板５上で容易に把握することができる。なお、表示制御手段３４１は、端末装置３のディスプレイ又は電子黒板５上に表示されたアイコン５９が選択された場合、色による強調表示と同様、再生順番の表示の有無を切り替えてもよい。
【００５６】
［コンテンツの再生］
次に、再生順番が設定されたコンテンツの再生方法について説明する。概略的には、再生制御手段３４３は、アイコン６１がタッチされる毎に、再生すべき再生順番にある関連コンテンツの再生を開始する。
【００５７】
図９は、再生順番が設定された後、端末装置３のディスプレイに表示された見開き頁上で操作が行われていることを示す図である。
【００５８】
図９において、まず、アイコン６１が指先８０によりタッチされる。この場合、処理手段３４の再生制御手段３４３は、アイコン６１がタッチパネル操作により選択されたことを認識する。そして、この場合、再生制御手段３４３は、図４に示す関連付けエリア情報を参照し、当該見開き頁（２２、２３頁）において、再生順番が１番に設定された関連付けコンテンツを再生又は表示する。具体的には、再生制御手段３４３は、関連付けエリア２１に関連付けられた「ワークシート１．ｐｄｆ」をディスプレイ画面上に表示する。また、この場合、電子黒板５の投影範囲５０にも同様に、「ワークシート１．ｐｄｆ」が投影表示される。
【００５９】
図１０は、ファイル「ワークシート１．ｐｄｆ」の表示例を示す。図１０に示すように、ファイル「ワークシート１．ｐｄｆ」は、解答欄７０Ａ〜７０Ｅを有する。そして、電子黒板５に表示された「ワークシート１．ｐｄｆ」の解答欄７０Ａ〜７０Ｅへ生徒等が書込み用のペン（スタイラス）などにより書込みを行った場合、処理手段３４は、電子黒板５から送信された入力情報に含まれる座標情報を、座標変換関数に基づき表示手段３６の画面上での座標情報に変換し、当該座標情報に基づきストロークを表示手段３６に描画する。また、処理手段３４は、表示手段３６に画像を表示させるための画像信号をプロジェクタ４に送信し、表示手段３６の画像と同じ画像を同期して投影させる。これにより、電子黒板５にも同様に、記入者が描いたストロークが投影される。
【００６０】
再び図９を参照して関連付けコンテンツの再生について説明する。ファイル「ワークシート１．ｐｄｆ」がディスプレイ上に表示された後、アイコン６１が指先８０により再びタッチされる。この場合、処理手段３４の再生制御手段３４３は、タッチパネルから送信される検出信号に基づき、アイコン６１がタッチされたことを認識する。そして、この場合、再生制御手段３４３は、図４に示す関連付けエリア情報を参照し、当該見開き頁（２２、２３頁）において、再生順番が２番に設定された関連付けコンテンツを再生又は表示する。具体的には、再生制御手段３４３は、関連付けエリア２２に関連付けられた動画コンテンツ「断層○○町．ｍｐ４」を再生する。また、この場合、電子黒板５の投影範囲５０にも同様に、動画コンテンツ「断層○○町．ｍｐ４」が投影表示される。なお、再生制御手段３４３は、動画コンテンツ「断層○○町．ｍｐ４」を再生する場合に、コンテンツ「ワークシート１．ｐｄｆ」を強制的に終了させてもよく、動画コンテンツ「断層○○町．ｍｐ４」の背面に表示位置を遷移させる処理のみを行ってもよい。
【００６１】
このように、再生制御手段３４３は、ユーザである講師が予定していた授業の流れに沿って、授業中、再生順番に間違いを生じさせることなく、コンテンツを適切に再生することができる。
【００６２】
なお、電子黒板５の投影範囲５０に投影表示された電子教科書２のアイコン６１がタッチされた場合も、同様に、端末装置３は、設定された再生順番に従い関連付けコンテンツを再生する。具体的には、投影範囲５０内におけるアイコン６１の表示位置がスタイラスなどによりタッチされた場合、再生制御手段３４３は、電子黒板５から受信した入力情報の座標情報を座標変換関数により表示手段３６のディスプレイにかかる座標系に変換し、変換後の位置座標に基づき、アイコン６１が指定されたことを認識する。そして、この場合、再生制御手段３４３は、関連付けエリア情報を参照し、現在ディスプレイ上に表示中の見開き頁を対象に、再生すべき再生順番にある関連付けコンテンツを再生する。
【００６３】
［本実施形態のコンテンツ再生システムによる作用効果］
本実施形態のコンテンツ再生システムによれば、端末装置３は、コンテンツが関連付けられた電子教科書２の関連付けエリアに関する関連付けエリア情報を記憶する。そして、端末装置３は、ユーザのタッチパネル操作に基づき、関連付けエリアが複数設けられた電子教科書２の見開き頁において、関連付けエリアに関連付けられたコンテンツの再生又は表示の順番を設定する。これにより、授業などにおいて、ユーザは、再生すべきコンテンツの順番を間違えることなく想定した順番通りにコンテンツの再生又は表示を行うことができる。
【００６４】
また、電子教科書２の操作領域４０には、再生順番設定モードの開始及び終了を指定するためのアイコン６０が設けられ、端末装置３は、再生順番設定モード時に、選択された関連付けエリアの選択順に基づき、関連付けコンテンツの再生又は表示の順番を設定する。これにより、ユーザは、同一頁又は同一見開き頁に関連付けられたコンテンツの再生又は表示の順番を容易に定めることができる。
【００６５】
また、電子教科書２の操作領域４０には、設定された再生順番に基づきコンテンツを再生又は表示するためのアイコン６１が設けられ、端末装置３は、アイコン６１が選択されたことを検知する度に、再生又は表示すべき順番にあたるコンテンツの再生又は表示を行う。これにより、ユーザは、アイコン６１を選択する操作を行うだけで、順番を設定したコンテンツを、順番通りに端末装置３に再生又は表示させることができる。
【００６６】
［変形例］
次に、本実施形態の変形例について説明する。以下の変形例は、任意に組み合わせて上述の実施形態に適用してもよい。
【００６７】
（変形例１）
端末装置３のディスプレイに表示されたアイコン４１乃至６１及び関連付けエリアを選択する操作は、指先８０によるタッチ操作に限定されず、スタイラスによるタッチ操作であってもよく、又は、端末装置３がマウスを有する場合には、マウスのクリック操作であってもよい。
【００６８】
（変形例２）
図８に示す関連付けエリア情報では、「関連付けコンテンツ」の項目には、関連付けコンテンツを特定するための情報として、当該関連付けコンテンツのパス及びファイル名が記憶されていた。これに代えて、「関連付けコンテンツ」の項目には、電子コンテンツを閲覧可能な動画サイトを開くためのＵＲＬ（Ｕｎｉｆｏｒｍ  Ｒｅｓｏｕｒｃｅ  Ｌｏｃａｔｏｒ）や、端末装置３とネットワークを介して通信可能なサーバ装置が記憶した映像等の再生を行うためのＵＲＬが記憶されていてもよい。
【００６９】
この場合、再生制御手段３４３は、再生すべき再生順番にある関連付けコンテンツが関連付けエリア情報中でＵＲＬにより特定されていた場合には、当該ＵＲＬに基づき、所定のＷＥＢサイトを表示したり、サーバ装置と接続してストリーミング再生等を開始したりする。この場合、ＵＲＬに基づき表示されるＷＥＢサイト及び映像等は、本発明における「コンテンツ」の一例である。
【００７０】
（変形例３）
図６に示す電子教科書２では、関連付けエリア２１、２２が色付きで強調表示されていた。これに代えて、又は、これに加えて、表示制御手段３４１は、関連付けエリア２１、２２と対応する位置に、関連付けられたコンテンツのファイル名又は／及び当該コンテンツを小さく表示した画像又は映像を表示させてもよい。例えば、表示制御手段３４１は、関連付けエリア２１、２２を同一の色で着色すると共に、これらのエリアと重なる位置又は近接する位置に関連付けコンテンツのファイル名を表示させる。
【００７１】
これによっても、表示制御手段３４１は、各関連付けエリア２１、２２に関連付けられたコンテンツの種類又はファイル名をユーザに認識させることができる。
【００７２】
（変形例４）
端末装置３は、同一の見開き頁内における関連付けコンテンツの再生順番を設定する代わりに、１頁ごとの関連付けコンテンツの再生順番を設定してもよい。例えば、この場合、電子教科書２の頁ごとにアイコン６０及びアイコン６１が表示される。そして、端末装置３は、アイコン６０が選択された場合、当該アイコン６０が表示された頁を対象に再生順番設定モードを開始し、アイコン６１が選択された場合、当該アイコン６１が表示された頁を対象に再生順番に従った再生を行う。
【符号の説明】
【００７３】
２…電子教科書
３…端末装置
４…プロジェクタ
５…電子黒板
【図１】
2013182123.tif 000003
【図２】
2013182123.tif 000004
【図３】
2013182123.tif 000005
【図４】
2013182123.tif 000006
【図５】
2013182123.tif 000007
【図６】
2013182123.tif 000008
【図７】
2013182123.tif 000009
【図８】
2013182123.tif 000010
【図９】
2013182123.tif 000011
【図１０】
2013182123.tif 000012